(57)【要約】【課題】容器開口部の周囲のフランジにシールして、前記開口部を閉塞する蓋材であり、しかも、容易にかつ安定して外蓋と内蓋とを剥離できる蓋材を提供すること。【解決手段】容器のランジの外側に突出するタブ１３ａを有すると共に、外蓋１１と内蓋１３とを重ねて構成され、かつ、内蓋に切り込み線１３ｂが設けられており、この切り込み線１３ｂを挟んでタブ１３ａ先端とは反対側の領域で外蓋と内蓋とが剥離容易に構成されており、この切り込み線１３ｂの始点１３ｂ１が前記タブ１３ａ上に位置しており、この切り込み線１３ｂが前記フランジにシールされる周縁シール線を越えて伸びている。【選択図】図３
2020040722.tif 000002
【特許請求の範囲】
【請求項１】
容器開口部の周囲のフランジにシールして、前記開口部を閉塞する蓋材であって、
前記フランジの外側に突出するタブを有すると共に、外蓋と内蓋とを重ねて構成され、かつ、内蓋に切り込み線が設けられており、この切り込み線を挟んでタブ先端とは反対側の領域で外蓋と内蓋とが剥離容易に構成されており、
この切り込み線の始点が前記タブ上に位置しており、この切り込み線が前記フランジにシールされる周縁シール線を越えて伸びていることを特徴とする蓋材。
【請求項２】
前記切り込み線の始点が前記内蓋の外形線上に位置していることを特徴とする請求項１に記載の蓋材。
【請求項３】
前記始点の近傍において、前記タブの剥離方向に直交する方向に前記切り込み線が伸びていることを特徴とする請求項１又は２に記載の蓋材。
【請求項４】
前記始点の近傍において、前記切り込み線がタブの剥離方向に対して鋭角に交差する方向に伸びていることを特徴とする請求項１又は２に記載の蓋材。
【請求項５】
前記切り込み線の終点が前記タブ上に位置していることを特徴とする請求項１〜４のいずれかに記載の蓋材。
【請求項６】
前記切り込み線の終点が前記内蓋の外形線上に位置していることを特徴とする請求項５に記載の蓋材。
【請求項７】
前記切り込み線の外側の位置において、外蓋と内蓋との間に剥離層が設けられていることを特徴とする請求項１〜６のいずれかに記載の蓋材。
【発明の詳細な説明】
【技術分野】
【０００１】
容器開口部の周囲のフランジにシールして、その開口部を閉塞する蓋材に関するものである。この蓋材は、外蓋と内蓋とを重ねて構成され、かつ、内蓋に切り込み線を設けて、容器フランジにシールした蓋材を剥離したとき、その切り込み線に沿って部分的に開口することができ、例えば、焼きそば等、注湯して湯がきする食品の容器に適用することができる。
【背景技術】
【０００２】
内部に焼きそば等の食品を収容した蓋付きの容器であって、容器内部に食品を収容したまま、湯がき等の調理を行うことができる蓋付き容器は周知である（特許文献１〜３参照）。このような容器は、食品を調理した後、不要となった湯を排出して、そのまま食器として使用することもできる。
【０００３】
これらいずれの容器においても、蓋材として、外蓋と内蓋とを部分的に剥離容易に積層した蓋材を使用している。そして、この蓋材を容器のフランジ部にシールして密封した後、開封時には、容器のフランジ部にシールされた部分で外蓋と内蓋とを剥離し、その他の領域では外蓋と内蓋とを一体として除去することにより、容器を開口している。
【先行技術文献】
【特許文献】
【０００４】
【特許文献１】特許第４７２４９７８号公報
【特許文献２】特許第６０３４５４７号公報
【特許文献３】特許第４８１５９７８号公報
【発明の概要】
【発明が解決しようとする課題】
【０００５】
ところで、この蓋付き容器においては、前記開口の際には、外蓋と内蓋との剥離が容器フランジにシールされた周縁シール線から開始する。そして、このように外蓋と内蓋との剥離が容器フランジ上の周縁シール線から開始するため、外蓋と内蓋との剥離が不安定で剥離し難いという問題があった。
【０００６】
そこで、本発明は、容器開口部の周囲のフランジにシールして、前記開口部を閉塞する蓋材であり、しかも、容易にかつ安定して外蓋と内蓋とを剥離できる蓋材を提供することを目的とする。
【課題を解決するための手段】
【０００７】
すなわち、請求項１に記載の発明は、容器開口部の周囲のフランジにシールして、前記開口部を閉塞する蓋材であって、
前記フランジの外側に突出するタブを有すると共に、外蓋と内蓋とを重ねて構成され、かつ、内蓋に切り込み線が設けられており、この切り込み線を挟んでタブ先端とは反対側の領域で外蓋と内蓋とが剥離容易に構成されており、
この切り込み線の始点が前記タブ上に位置しており、この切り込み線が前記フランジにシールされる周縁シール線を越えて伸びていることを特徴とする蓋材である。
【０００８】
次に、請求項２に記載の発明は、前記切り込み線の始点が前記内蓋の外形線上に位置していることを特徴とする請求項１に記載の蓋材である。
【０００９】
次に、請求項３に記載の発明は、前記始点の近傍において、前記タブの剥離方向に直交する方向に前記切り込み線が伸びていることを特徴とする請求項１又は２に記載の蓋材である。
【００１０】
次に、請求項４に記載の発明は、前記始点の近傍において、前記切り込み線がタブの剥離方向に対して鋭角に交差する方向に伸びていることを特徴とする請求項１又は２に記載の蓋材である。
【００１１】
次に、請求項５に記載の発明は、前記切り込み線の終点が前記タブ上に位置していることを特徴とする請求項１〜４のいずれかに記載の蓋材である。
【００１２】
次に、請求項６に記載の発明は、前記切り込み線の終点が前記内蓋の外形線上に位置していることを特徴とする請求項５に記載の蓋材である。
【００１３】
次に、請求項７に記載の発明は、前記切り込み線の外側の位置において、外蓋と内蓋との間に剥離層が設けられていることを特徴とする請求項１〜６のいずれかに記載の蓋材である。
【発明の効果】
【００１４】
本発明の蓋材においては、フランジの外側に突出したタブの上に切り込み線の始点が位置しているから、タブ先端を指で摘んで上方に引き上げたとき、この切り込み線からタブが折れ曲がってその始点に力が掛け易くなり、しかも、外蓋と内蓋との剥離をフランジの外側のこの始点から開始することができるから、両者の剥離が容易でしかも安定する。
【図面の簡単な説明】
【００１５】
【図１】図１は本発明の第１の具体例に係る蓋材の説明用断面図である。
【図２】図２は本発明の第１の具体例に係る外蓋の説明用平面図である。
【図３】図３は本発明の第１の具体例に係る内蓋の説明用平面図である。
【図４】図４は本発明の第１の具体例に係る蓋材の使用方法を示し、蓋材を容器に適用する工程の説明用斜視図である。
【図５】図５は本発明の第１の具体例に係る蓋材の使用方法を示し、蓋材を適用した容器の説明用断面図である。
【図６】図６は本発明の第１の具体例に係る蓋材の使用方法を示し、図６（ａ）は注湯用開口を形成した容器の説明用斜視図、図６（ｂ）は排湯用小孔を形成した容器の説明用斜視図である。
【図７】図７は本発明の第２の具体例に係る内蓋の説明用平面図である。
【図８】図８は本発明の第３の具体例に係る内蓋の説明用平面図である。
【図９】図９は比較例１の蓋材に係り、図９（ａ）は外蓋の説明用平面図、図９（ｂ）は内蓋の説明用平面図である。
【図１０】図１０は比較例２の内蓋の説明用平面図である。
【発明を実施するための形態】
【００１６】
本発明は、容器開口部の周囲のフランジにシールして、この開口部を閉塞する蓋材である。容器は任意の容器でよいが、本発明の蓋材は、焼きそば等を収容する容器で、しかも、この容器内で調理でき、また、この容器を食器としてそのまま食することができる容器に好ましく適用することができる。このため、以下、このような容器に適用する蓋材を例として本発明を説明する。図面の図１は本発明の第１の具体例に係る蓋材の説明用断面図である。また、図２はこの蓋材を構成する外蓋の説明用平面図であり、図３はこの蓋材を構成する内蓋の説明用平面図である。
【００１７】
図１から分かるように、この蓋材Ａ１は、外蓋１１と内蓋１３とを重ねて構成されたものである。内蓋１３には所定に位置に２種類の切り込み線１３ｂ，１３ｃが設けられており、この位置で内蓋１３を容易に切断することができる。また、外蓋１１と内蓋１３との間には、部分的に剥離層１２が設けられており、この領域で外蓋１１と内蓋１３と容易に剥離することができる。２種類の切り込み線１３ｂ，１３ｃの位置及び剥離層１２を設ける位置については、後述する。
【００１８】
図２と図３を対比して分かるように、外蓋１１及び内蓋１３の外形は蓋材Ａ１の外形と同じである。この蓋材Ａ１は、これを容器のフランジにシールしたとき、そのシール線（周縁シール線）の外側、すなわち、容器フランジの外側に突出するタブ１ａを有している。このタブ１ａを構成する部分は、図２においては１１ａの符号を付している。また、図３においては１３ａの符号を付している。この両者は互いに重なってタブ１ａを構成している。
【００１９】
内蓋１３に設けられた２種類の前記切り込み線１３ｂ，１３ｃのうち、一方の切り込み線１３ｂの始点１３ｂ１は、内蓋１３のタブ１３ａ上に位置している。この１３ａは、容器フランジにシールする周縁シール線の外側に位置しているから、切り込み線１３ｂの始点１３ｂ１も周縁シール線の外側に位置している。なお、図３において、１３ｘはこの周縁シール線の外側端縁を示しており、この図から切り込み線１３ｂの始点１３ｂ１が周縁シール線の外側に位置していることが分かる。
【００２０】
また、切り込み線１３ｂの始点１３ｂ１は、内蓋１３の外形線１３ｄ上に位置している。このため、タブ１ａを引っ張ったとき、この切り込み線１３ｂの始点１３ｂ１から内蓋１３の切断が開始する。
【００２１】
切り込み線１３ｂはこの始点１３ｂ１から出発して、周縁シール線を横断してこれを越え、内蓋１３の中央方向に伸びている。そして、内蓋１３をほぼ二等分するように周回して、再び周縁シール線を横断してタブ１３ａ上に戻っている。その終点１３ｂ４は、始点１３ｂ１と同じく、内蓋１３のタブ１３ａ上に位置しており、また、内蓋１３の外形線１３ｄ上に位置している。なお、これら始点１３ｂ１と終点１３ｂ４との間にタブ１３ａの先端が位置している。
【００２２】
なお、この例では、始点１３ｂ１の近傍１３ｂ２においては、切り込み線１３ｂはタブ１ａの剥離方向Ｘに直交する方向に伸びている。また、終点１３ｂ４の近傍１３ｂ３においてもタブ１ａの剥離方向Ｘに直交する方向に伸びている。もっとも、これに限ることはなく、始点１３ｂ１及び終点１３ｂ４の近傍１３ｂ２，１３ｂ３において切り込み線１３ｂがタブ１ａの剥離方向Ｘに鋭角に交差する方向に伸びていてもよいし、この剥離方向Ｘに平行に伸びていてもよい。図７は、始点２３ｂ１の近傍２３ｂ２及び終点２３ｂ４の近傍２３ｂ３において切り込み線２３ｂがタブの剥離方向Ｘに鋭角に交差する方向に伸びている内蓋２３の例であり、図８は、始点３３ｂ１の近傍３３ｂ２及び終点３３ｂ４の近傍３３ｂ３において切り込み線３３ｂがタブの剥離方向Ｘにほぼ平行に伸びている内蓋３３の例である。
【００２３】
２種類の前記切り込み線１３ｂ，１３ｃのうち、切り込み線１３ｃは、切り込み線１３ｂは挟んでタブ１３ａとは反対側に設けられている。この切り込み線１３ｃは閉曲線状に設けられている。後述するように、蓋材Ａ１を容器Ｂから剥離したとき、内蓋１３には、この切り込み線１３ｃに囲まれた部分が湯切り孔１３’ｃとして形成される。図３から分かるように、この切り込み線１３ｃは複数設けられており、このため、形成される湯切り孔１３’ｃも複数である。
【００２４】
なお、この例では、湯切り孔１３’ｃを円形状として、切り込み線１３ｃをその周囲を囲む円周状としているが、これに限らず、湯切り孔１３’ｃを直線状あるいは波線状とすることもできる。切り込み線１３ｃは、湯切り孔１３’ｃの形状に対応して、その周囲を囲む閉曲線状であればよい。
【００２５】
次に、剥離層１２を形成する領域について説明するが、説明の便宜上、まず、剥離層１２を形成しない領域を説明する。剥離層１２を形成しない領域は、外蓋１１と内蓋１３とが強固に接着して、両者が剥離しない領域である。なお、図３においては、剥離層１２形成領域にハッチングを施して、剥離層１２形成領域とこれを形成しない領域とを区別して示している。
【００２６】
剥離層１２を形成しない領域は、まず、切り込み線１３ｂを境界として、タブ１３ａの先端が位置する領域である。また、切り込み線１３ｃで囲まれた領域、すなわち、湯切り孔１３’ｃを形成する領域にも剥離層１２が設けられておらず、外蓋１１と内蓋１３とが強固に接着している。その他の領域、すなわち、切り込み線１３ｂを境界として、タブ１３ａの先端とは反対側の領域で、しかも、切り込み線１３ｃで囲まれた領域を除く領域に剥離層１２が形成されている。なお、湯切り孔１３’ｃを形成する領域に接着層を配置して、外蓋１１と内蓋１３とを強固に接着することも可能である。
【００２７】
切り込み線１３ｂと剥離層１２形成領域との位置精度は精確である必要はない。切り込み線１３ｂが剥離層１２形成領域に重なっていてもよい。同様に切り込み線１３ｃも剥離層１２形成領域に重なっていてもよい。
【００２８】
この蓋材Ａ１は次のように使用することができる。すなわち、まず、図４に示すように、蓋材Ａ１を容器Ｂの開口部Ｂ１に重ね、開口部Ｂ１周囲のフランジＢ２にヒートシールして開口部Ｂ１を閉塞する。図中、Ｂ２ｘはフランジＢ２の外側端縁を示しており、ヒートシールによって形成された周縁シール線の外側端縁１３ｘに対応するものである。また、Ｂ２ｙはフランジＢ２の内側端縁を示している。
【００２９】
こうして蓋材Ａ１を適用した容器Ｂの断面図を図５に示す。この図から分かるように、タブ１ａはフランジＢ２の外側端縁Ｂ２ｘから外側に突出している。
【００３０】
次に、この蓋付きの容器を使用して、焼きそば等の内容物を調理する方法について説明する。
【００３１】
すなわち、まず、タブ１ａの先端を指でつまんで引き上げることにより、タブ１ａの先端は、外蓋１１と内蓋１３とが一体となって容器ＢのフランジＢ２から剥離する。次に、この剥離が切り込み線１３ｂの始点１３ｂ１及び終点１３ｂ４に達すると、切り込み線１３ｂによって内蓋１３の切断が開始される。なお、タブ１ａ先端を上方に引き上げたとき、切り込み線１３ｂの始点１３ｂ１及び終点１３ｂ４を結ぶ線でタブ１ａが折れ曲がるため、その始点１３ｂ１及び終点１３ｂ４に力が掛け易くなり、しかも、外蓋１１と内蓋１３との剥離を周縁シール線の外側のこの１３ｂ１及び終点１３ｂ４から開始することができる。
【００３２】
そして、この内蓋１３の切断は、切り込み線１３ｂによって誘導される。そして、この切り込み線１３ｂの外側、すなわち、切り込み線１３ｂを境界として、タブ１３ａの先端とは反対側の領域に位置する周縁シール線には、外蓋１１と内蓋１３との間に剥離層１２が形成されているから、この領域においては、内蓋１３を容器フランジＢ２上に残したまま、外蓋１１が内蓋１３から剥離する。なお、このとき、切り込み線１３ｂに囲まれた領域、すなわち、切り込み線１３ｂを境界として、タブ１３ａが属する領域では外蓋１１と
内蓋１３とが一体となって容器Ｂから除去されるため、この領域で容器開口部Ｂ１が部分的に開口する（図６（ａ）参照）。
【００３３】
蓋材Ａ１の剥離除去は切り込み線１３ｂの存在する領域の範囲内で停止することが望ましい。こうして部分的に開口した開口部Ｂ１ａを注湯口として湯を注ぐことができる。そして、次に、蓋材Ａ１を戻して前記部分的開口部（注湯口）Ｂ１ａを塞ぐことにより、焼きそば等の内容物を湯がきして調理することができる。
【００３４】
所定時間の調理が完了した後、再度蓋材Ａ１を引っ張り、しかも、切り込み線１３ｂを越えて引っ張ることにより、蓋材Ａ１を容器Ｂから分離することができる。前述のように、切り込み線１３ｂの外側の領域では、切り込み線１３ｃで囲まれた領域を除いて、外蓋１１と内蓋１３との間に剥離層１２が形成されているから、この領域では内蓋１３を容器開口部Ｂ１に残したまま、外蓋１１が内蓋１３から剥離して除去される。一方、切り込み線１３ｃで囲まれた領域には剥離層１２が存在せず、外蓋１１と内蓋１３とが強固に接着されているから、この領域では、外蓋１１と内蓋１３とが一体となって除去される。このため、容器開口部Ｂ１に残存する内蓋１３に湯切り孔１３’ｃを形成することができる（図６（ｂ）参照）。そして、容器Ｂを傾けることにより、内部の湯を排出することができる。
【００３５】
こうして容器Ｂ内部に残った内容物は、これを別の食器に移して食することもできるが、容器Ｂをそのまま食器として利用して食することも可能である。
【００３６】
次に、図７は本発明の第２の具体例に係る内蓋２３の説明用平面図である。この内蓋２３は、切り込み線２３ｂの始点２３ｂ１の近傍２３ｂ２及び終点２３ｂ４の近傍２３ｂ３において、切り込み線２３ｂがタブ２２ａの剥離方向Ｘに鋭角に交差する方向に伸びている内蓋の例である。このように切り込み線２３ｂがタブ２２ａの剥離方向に交差する角度が鋭角に構成されている場合、一層容易に蓋材Ａ２を開封することができる。この内蓋２３は、その他の点では第１の具体例と同様であり、外蓋も第１の具体例と同様である。
【００３７】
また、図８は、始点３３ｂ１の近傍３３ｂ２及び終点３３ｂ４の近傍３３ｂ３において切り込み線３３ｂがタブ３ａの剥離方向Ｘにほぼ平行に伸びている内蓋３３の例である。このように切り込み線３３ｂがタブ３３ａの剥離方向Ｘにほぼ平行に伸びている場合、さらに容易に蓋材Ａ３を開封することができる。この内蓋３３は、その他の点では第１の具体例と同様であり、外蓋も第１の具体例と同様である。
【００３８】
本発明の蓋材において、外蓋１１は任意のシートで構成することができるが、断熱性の確保のため紙を含むことが望ましい。例えば、紙単体、紙とポリエステルフィルムとの積層体等である。
【００３９】
一方、内蓋１３，２３，３３としては、容器Ｂのフランジ部Ｂ２にヒートシールすることのできるシーラント層を有する積層体を使用することができる。シーラント層としてはポリエチレン等のポリオレフィンを例示することができる。例として、内蓋１３，２３，３３の層構成を示せば、例えば、ポリエチレン樹脂、ポリエステルフィルム、ポリエチレン樹脂をこの順に積層した積層体、ポリエチレン樹脂、アルミニウム箔、ポリエチレン樹脂をこの順に積層した積層体、ポリエチレン樹脂、ポリエステルフィルム、アルミニウム箔、ポリエチレン樹脂をこの順に積層した積層体等を挙げることができる。
また、剥離層１２としては、シリコン系ワックス、ポリエチレン系ワックス、ポリエステル系ワックス、脂肪酸アマイド系ワックス又はこれらワックスを含む剥離剤を使用することができる。
【実施例】
【００４０】
（実施例１）
この例は、第１の前記具体例として説明した内蓋１３を使用した例である。すなわち、切り込み線１３ｂの始点１３ｂ１及び終点１３ｂ４がタブ１３ａ上に位置しており、この切り込み線１３ｂが容器フランジＢ２にシールされる周縁シール線を越えて伸びていると共に、前記始点１３ｂ１の近傍１３ａ２及び終点１３ｂ４の近傍１３ａ３で切り込み線１３ｂがタブ１ａの剥離方向に直交する方向に伸びている内蓋１３を使用した。
【００４１】
なお、外蓋１１は紙単体、内蓋１３は、ポリエチレン、ポリエステルフィルム、ポリエチレンをこの順に積層した積層体で構成した。
【００４２】
（実施例２）
この例は、第２の前記具体例として説明した内蓋２３を使用した例である。すなわち、切り込み線２３ｂの始点２３ｂ１の近傍２３ｂ２及び終点２３ｂ４の近傍２３ｂ３において、切り込み線２３ｂがタブ２２ａの剥離方向Ｘに鋭角に交差する方向に伸びている内蓋２３を使用した。
【００４３】
（実施例３）
この例は、第３の前記具体例として説明した内蓋３３を使用した例である。すなわち、始点３３ｂ１の近傍３３ｂ２及び終点３３ｂ４の近傍３３ｂ３において切り込み線３３ｂがタブ３３ａの剥離方向Ｘにほぼ平行に伸びている内蓋３３を使用した。
【００４４】
（比較例１）
この例は、特許文献３に記載の蓋材Ａ４を使用したもので、その外蓋４１及び内蓋４３の形状を図９（ａ）及び（ｂ）に示している。
【００４５】
すなわち、この蓋材Ａ４は、外蓋４１と内蓋４３とを積層して構成されており、容器フランジから、すなわち、容器フランジと蓋材との周縁シール線から外側に突出するタブ４ａを有している。
【００４６】
図９（ｂ）から分かるように、内蓋４３には２種類の切り込み線４３ｂ、４３ｃが設けられており、これら切り込み線４３ｂ、４３ｃの外側では外蓋４１と内蓋４３との間に剥離層４２が設けられている。
【００４７】
また、この蓋材４には、前記タブ４ａの近傍に切欠け４ｅが設けられている。この切欠け４ｅは、蓋材４を容器Ｂのフランジ部Ｂ２にヒートシールしたとき形成される周縁シール線を越えない範囲内で配置されている。図９（ｂ）において、４３ｘはこの周縁シール線の外側端縁を示し、４３ｙは内外側端縁を示している。
【００４８】
２種類の切り込み線４３ｂ、４３ｃのうち、その一方の切り込み線４３ｂは、タブ４ａを引っ張って蓋材４を部分的に容器から剥離したとき、蓋付き容器を部分的に開口するための切り込み線で、前記切欠け４３ｅの近傍に始点４３ｂ１を有し、この始点４３ｂ１から周縁シール線を横断してこれを越え、内蓋４３の中央方向に伸びている。そして、内蓋４３をほぼ二等分するように周回して、再び周縁シール線を横断して切欠け４３ｅの近傍に戻っている。このため、タブ４ａを引っ張ると、まず切欠け４ａで外蓋４１及び内蓋４３が切断される。
【００４９】
そして、この切断線が切り込み線４３ｂの始点４３ｂ１及び終点４３ｂ４に達すると、切り込み線４３ｂによって内蓋４３が切断される。そして、この切り込み線４３ｂの外側
の領域では外蓋４１と内蓋４３との間に剥離層４２が設けられているから、この剥離層４２によって外蓋４１と内蓋４３とが剥離する。一方、切り込み線４３ｂの内側の領域では外蓋４１と内蓋４３との間に剥離層４２が存在せず、これら外蓋４１と内蓋４３とが互いに接着している。このため、容器フランジにシールされた周縁シール線の領域では内蓋４３が容器フランジ上に残り、切り込み線４３ｂの内側の領域では外蓋４１と内蓋４３とが一体となって容器開口部から除去され、この部分が開口する。そして、この部分的開口から注湯することができる。なお、このように注湯した後には、その開口を塞ぐことができる。そして、このように注湯した後にその開口を塞ぐことにより、焼きそば等の内容物を調理することが可能である。
【００５０】
次に、２種類の前記切り込み線４３ｂ、４３ｃのうち、他方の切り込み線４３ｃは、注湯して調理した後不要となった湯を排出する孔を形成するための切り込み線である。このため、この切り込み線４３ｃは切り込み線４３ｂを挟んでタブ４３ａの属する領域とは反対側の領域、すなわち、切り込み線４３ｂの外側の領域に配置されている。そして、調理の後再びタブ４ａを引っ張ると、まず、前述と同様に部分的に注湯用開口が開き、次に切断線が切り込み線４３ｂに達したとき剥離層４２によって外蓋４１と内蓋４３とが剥離して、内蓋４３を容器開口部に残したまま、外蓋４１が除去される。そして、切り込み線４３ｃに達すると、この切り込み線４３ｃの内側の領域には剥離層４２が存在しないから、この切り込み線４３ｃの内側の領域では内蓋４３が外蓋４１と共に除去され、湯切り用の孔が形成される。
【００５１】
そして、最後に、容器開口部に残った内蓋４３を容器フランジから除去することにより、容器をそのまま食器として利用して焼きそば等の内容物を食することができる。
【００５２】
（比較例２）
この例は、閉曲線状の切り込み線５３ｂを有する内蓋５３を使用した例である（図１０参照）。切り込み線５３ｂは、容器Ｂフランジ部Ｂ２にシールして形成される周縁シール線の内側端縁に沿って配置されており、このため、タブ５３ａに達していない。
【００５３】
（評価）
これら実施例１〜３及び比較例１〜２の蓋材を容器にヒートシールした後、タブ先端を摘んで引き上げることにより、このタブ周縁を剥離開封した。このとき、外蓋と内蓋とが容易に剥離するか否かという点について、評価した。なお、この評価は、各蓋材について３０個のサンプルについて行った。
【００５４】
この結果、実施例１〜３の蓋材については、外蓋と内蓋とが容易に剥離し、このため、容易に開封して、注湯口を開くことができた。
【００５５】
なお、実施例１の蓋材に比較して実施例２の蓋材の方が容易に剥離でき、また、実施例１及び実施例２の蓋材に比較して実施例３の蓋材の方が容易に剥離できた。この結果から、タブの剥離方向Ｘと切り込み線との交差角度が鋭角で、しかも、小さいほど剥離開封性に優れていることが理解できる。
【００５６】
一方、比較例１〜２の蓋材については、外蓋と内蓋とが容易に剥離せず、その開封性が実施例１〜３より劣ることが確認できた。なお、比較例２の蓋材においては、３０個のサンプルのうち１０個のサンプルについて外蓋と内蓋とが剥離せず、そもそも注湯口を開くことができなかった。
【符号の説明】
【００５７】
Ａ１：蓋材    １ａ：タブ
１１：外蓋    １１ａ：タブ
１２：剥離層
１３：内蓋
１３ａ：タブ
１３ｂ：切り込み線    １３ｂ１：始点    １３ｂ２：始点近傍    １３ｂ３：終点近傍    １３ｂ４：終点
１３ｃ：切り込み線
１３ｄ：内蓋の外形線
１３ｘ：容器フランジ部にシールして形成される周縁シール線の外側端縁
Ａ２：蓋材    ２３：内蓋    ２３ａ：タブ    ２３ｂ：切り込み線
Ａ３：蓋材    ３３：内蓋    ３３ａ：タブ    ３３ｂ：切り込み線
Ａ４：蓋材    ４３：内蓋    ４３ａ：タブ    ４３ｂ：切り込み線
【図１】
2020040722.tif 000003
【図２】
2020040722.tif 000004
【図３】
2020040722.tif 000005
【図４】
2020040722.tif 000006
【図５】
2020040722.tif 000007
【図６】
2020040722.tif 000008
【図７】
2020040722.tif 000009
【図８】
2020040722.tif 000010
【図９】
2020040722.tif 000011
【図１０】
2020040722.tif 000012